(57)【特許請求の範囲】
【請求項１】
複数本の単位ロッドを振り出し竿構造により多段に収容し、個々の単位ロッドを任意の引き出し状態で固定可能とされた伸縮ロッドと、
伸縮ロッドを構成する複数本の単位ロッドのうちで最初に引き出されるべき第１段目の単位ロッドの先端部に設けられた雲台と、
第１段目の単位ロッドの先端部に設けられ、かつ当該単位ロッドの軸方向と直交する方向へと向けられたパッド面を有するロッド支持部材と、
第１段目の単位ロッドの先端部に設けられ、かつロープ通し孔を有する先端部ロープガイドと、
伸縮ロッドの最大伸張時の長さに対応可能な長さを有すると共に、先端部ガイドリングのロープ通し孔に挿通され、かつその先端部には第１段目の単位ロッドの先端部適所に対して着脱可能な係止具が取り付けられた操作ロープと、を備え、
操作ロープの先端部を対象となる照明柱等の支柱の周囲に少なくとも一巻きしたのち、ロープ先端部の係止具を第１段目の単位ロッドの先端部適所に係止させることで、支柱及び当該伸縮ロッドを緩く取り巻くループ部分を形成した状態において、伸縮ロッドを適宜な長さに伸張固定して支柱に沿わせて立て掛け、しかるのち、操作ロープの垂れ下げ部分を強く引っ張って、支柱を取り巻くループ部分を締め付け、その状態にて操作ロープの垂れ下げ部分を適宜に固定することにより、支柱外表面とロッド支持部材のパッド面との当接を介して雲台と支柱とを位置決めしつつ、伸縮ロッドを支柱に添設し得るように構成した、ことを特徴とするカメラ等の高所据付具。
【請求項２】
ロッド支持部材のパッド面は、対象となる照明柱等の支柱の断面弧状外表面に対して２点で接するべく角度の緩い断面Ｖ字形状の凹面とされている、ことを特徴とする請求項１に記載のカメラ等の高所据付具。
【請求項３】
雲台は、俯仰角度を調整可能とされると共に、俯仰角度を示す目盛りが付されている、ことを特徴とする請求項１又は２に記載のカメラ等の高所据付具。
【請求項４】
先端部ロープガイドが、第１段目の単位ロッドの先端部に揺動可能に取り付けられた金属製リングであり、係止具がカラビナであり、それにより、先端部ロープガイドは係止具の係止相手としても機能する、ことを特徴とする請求項１〜３のいずれかに記載のカメラ等の高所据付具。
【請求項５】
伸縮ロッドのもっとも手元に位置する基段部分の後端部からは、当該基段部分の長さよりも十分に短いリング繋ぎひもが引き出され、その先端には繋留用リングが取り付けられている、ことを特徴とする請求項１〜４のいずれかに記載のカメラ等の高所据付具。
【請求項６】
第１段目の単位ロッドの先端部には、垂直板部と水平板部とを有するＬ字金具が固定されており、このＬ字金具の水平板部により雲台が支持されると共に、垂直板部の背面がパッド面とされている、ことを特徴とする請求項１〜５のいずれかに記載のカメラ等の高所据付具。
【請求項７】
垂直板部の断面は、左側板部と右側板部とが緩く交叉するＶ字形状とされ、対象となる支柱は、その断面Ｖ字形状の谷状パッド面により受け入れられる、ことを特徴とする請求項６に記載のカメラ等の高所据付具。
【発明の詳細な説明】
【技術分野】
【０００１】
この発明は、例えば、高速道路の料金所付近における交通状況調査のための広角撮影、事件現場の混雑の中での報道撮影等のように、カメラ等の高所仮据付を必要とする用途に好適なカメラ等の高所据付具に関する。
【背景技術】
【０００２】
例えば、高速道路の料金所付近における交通状況調査のためには、広い領域の多数の走行車両を一括して視野に収めるために、カメラによる高所撮影が必要とされる場合がある。また、事件現場の混雑の中での報道撮影等においても、カメラによる頭越しの高所撮影ができれば、高品質な報道写真を容易に得られることは言うまでもない。
【０００３】
従来、上述の交通状況調査等の場合には、しばしば電柱工事等に使用されるリフトカーが採用されている。すなわち、交通状況調査の現場である高速道路の一画にリフトカーを停車させ、撮影者自身をリフトカーで高所へと上昇させることで、高所からのカメラ撮影を可能とするものである。
【０００４】
しかしながら、このようなリフトカーによる場合には、車両利用料が高額となることに加えて、高速道路上にリフトカー駐車のための領域を確保するために、予め道路管理者から道路使用許可をとることが必要となり、コスト並びに迅速作業の面から問題が多い。
【０００５】
一方、リフトカーを使用することなく、カメラの高所仮据付を行うための工夫としては、伸縮式の支柱と雲台とを使用する各種のカメラの高所据付装置が知られている（例えば、特許文献１、２、３等参照）。
【特許文献１】特開平８−３３６０６８号公報
【特許文献２】特開２００２−２２８０８８号公報
【特許文献３】実用新案登録第３０２３６９６号公報
【発明の開示】
【発明が解決しようとする課題】
【０００６】
しかしながら、上述の特許文献１乃至３に記載のカメラの高所据付装置は、いずれも、仮据付とは言え、それ自体で支柱が自立する構造とされているため、屋外での高所撮影を想定すると、想定されるカメラの据え付け高さが増加するにつれて、風や振動等に耐えるべく、支柱の支持構造が大掛かりなものとなって、装置が高額なものとなり、また可搬性も低下して、使い勝手も低下すると言う問題点が指摘されている。
【０００７】
この発明は、このような従来の問題点に着目してなされたものであり、その目的とするところは、カメラ支柱を自立構造とするのではなく、他の支柱（照明柱、電柱、建築物の支柱等々）に添わせると言う斬新な発想を採用することで、カメラ支柱の支持構造を大幅に簡素化し、それにより低コストで可搬性の良好な使い勝手のよいカメラ等の高所据付具を提供することにある。
【課題を解決するための手段】
【０００８】
上述の技術的課題は、以下の構成を有するカメラ等の高所据付具により解決することができる。
【０００９】
すなわち、このカメラ等の高所据付具は、伸縮ロッドと、雲台と、ロッド支持部材と、先端部ロープガイドと、を具備して構成される。
【００１０】
伸縮ロッドは、複数本の単位ロッドを振り出し竿構造により多段に収容し、個々の単位ロッドを任意の引き出し状態で固定可能とされている。
【００１１】
雲台は、伸縮ロッドを構成する複数本の単位ロッドのうちで最初に引き出されるべき第１段目の単位ロッドの先端部に設けられる。
【００１２】
ロッド支持部材は、第１段目の単位ロッドの先端部に設けられ、かつ当該単位ロッドの軸方向と直交する方向へと向けられたパッド面を有する。
【００１３】
先端部ロープガイドは、第１段目の単位ロッドの先端部に設けられ、かつロープ通し孔を有する。
【００１４】
操作ロープは、伸縮ロッドの最大伸張時の長さに対応可能な長さを有すると共に、先端部ガイドリングのロープ通し孔に挿通され、かつその先端部には、第１段目の単位ロッドの先端部適所に対して着脱可能な係止具が取り付けられている。
【００１５】
ここで、「伸縮ロッドの最大伸張時の長さに対応可能な長さ」とあるのは、このローブは、予定の高さに伸縮ロッドを伸張させた状態で操作するものであることを考慮したことを意味するものである。そのため、最大伸張時の操作を考慮すれば、最大伸張時の長さよりも長いことが好ましいであろう。もっとも、予定されるれカメラ等の据え付け高さがそれよりも低い場合には、もちろん、最大伸張時の長さよりも短くてよいことは勿論である。
【００１６】
そして、操作ロープの先端部を対象となる照明柱等の支柱の周囲に少なくとも一巻きしたのち、ロープ先端部の係止具を第１段目の単位ロッドの先端部適所に係止させることで、支柱及び当該伸縮ロッドを緩く取り巻くループ部分を形成した状態において、伸縮ロッドを適宜な長さに伸張固定して支柱に沿わせて立て掛け、しかるのち、操作ロープの垂れ下げ部分を強く引っ張って、支柱を取り巻くループ部分を締め付け、その状態にて操作ロープの垂れ下げ部分を適宜に固定することにより、支柱外表面とロッド支持部材のパッド面との当接を介して雲台と支柱とを位置決めしつつ、伸縮ロッドを支柱に添設し得るように構成される。
【００１７】
このような構成によれば、支柱は元々自立機構を採用していないから、常時は、伸縮ロッドを振り出し竿機構により完全に縮めた状態とすることで、どこでも容易に持ち運ぶことができ、必要に応じて撮影の現場へといつでも持ち運ぶことができる。しかも、リフトカーを使用する場合のように、道路許可を得る必要もないから、この種のカメラ撮影作業を低コストかつ迅速に進めることかができる。
【００１８】
一方、使用にあたっても、単に、ループ部分を作ったのち、伸縮ロッドを必要な長さ伸張させ、垂れ下げロープを引っ張ると言うだけであるから、特に熟練を要するものではなく、誰でも容易に行うことができる訳である。それにも拘わらず、伸縮ロープはその上端部をしっかりと照明柱などの支柱に固定されるため、振動や風があっても、カメラ等はぶれることなくしっかりと固定され、しかも雲台と支柱とはパッド面の当接を介して所期の状態に位置決めされるため、カメラが意図しない姿勢に向けられることがなく、期待通りの姿勢で高所にしっかりと据え付けられることとなる。
【００１９】
好ましい実施の形態としては、ロッド支持部材のパッド面は、対象となる照明柱等の支柱の断面弧状外表面に対して２点で接するべく角度の緩い断面Ｖ字形状の凹面とされていてもよい。
【００２０】
このような構成によれば、パッド面は、対象となる照明柱等の支柱の断面弧状外表面に対して２点で接することとなるため、パッド面と支柱外表面とは安定的に当接することとなり、しかも、伸縮ロッドの軸線方向は、断面Ｖ字形状の凹面に案内されて支柱の軸方向と整合するように誘導されるから、カメラ撮影における方位方向の基準精度が向上する。
【００２１】
好ましい実施の形態によれば、雲台は、俯仰角度を調整可能とされると共に、俯仰角度を示す目盛りが付されていてもよい。
【００２２】
このような構成によれば、同一の撮影条件で繰り返し撮影を行うような場合には、そのときどきの俯仰角度を記録しておくことにより、撮影条件を正確に再現することができるほか、初回の撮影にあたっても、目的とする撮影領域と地形乃至カメラの高さとを想定した上で、計算により求められた俯仰角度を設定することにより、目的とする視野を正確に確保することが可能となる。
【００２３】
好ましい実施の形態としては、先端部ロープガイドが、第１段目の単位ロッドの先端部に揺動可能に取り付けられた金属製リングであり、係止具がカラビナであり、それにより、先端部ロープガイドは係止具の係止相手としても機能する、ようにしてもよい。
【００２４】
このような構成によれば、操作用ローブが先端部ロープガイドをスムーズに挿通すると共に、ループ部分の作成作業がカラビナの装着により容易となり、作業の迅速化が達成されるほか、ループ部分の開放作業も容易となるから、撮影前後の作業性が良好となる。
【００２５】
好ましい実施の形態としては、伸縮ロッドのもっとも手元に位置する基段部分の後端部からは、当該基段部分の長さよりも十分に短いリング繋ぎひもが引き出され、その先端には繋留用リングが取り付けられていてもよい。
【００２６】
このような構成によれば、操作ロープの端末処理にあたっては、繋留用リングにロープを通すことで、周囲に適当な繋留箇所が存在しなくとも、操作用ロープの下端部をしっかりとつなぎ止めることでき、その上で、ロープの端末を支柱並びにロッドの周囲に巻き付けることにより、ロープのずれや緩みを極力回避して、伸縮ロッドの添設状態を安定的に維持させることが可能となる。
【００２７】
好ましい実施の形態としては、第１段目の単位ロッドの先端部には、垂直板部と水平板部とを有するＬ字金具が固定されており、このＬ字金具の水平板部により雲台が支持されると共に、垂直板部の背面がパッド面とされていてもよい。
【００２８】
このような構成によれば、単に、第１段目の単位ロッドの先端部に、垂直板部と水平板部とを有するＬ字金具を固定するという構造を採用するだげで、目的とする雲台支持機構並びにパッド面を実現することができる。
【００２９】
好ましい実施の形態としては、垂直板部の断面は、左側板部と右側板部とが緩く交叉するＶ字形状とされ、対象となる支柱は、その断面Ｖ字形状の谷状パッド面により受け入れられる、ようにしてもよい。
【００３０】
このような構成によれば、上述のパッド面に対して、安定当接作用並びにロッド方向ガイド機能を簡単な構成により容易に付与することができる。
【発明の効果】
【００３１】
本発明によれば、カメラ支柱を自立構造とするのではなく、他の支柱（照明柱、電柱、建築物の支柱等々）に添わせると言う斬新な発想を採用することで、カメラ支柱の支持構造を大幅に簡素化し、それにより低コストで可搬性の良好な使い勝手のよいカメラ等の高所据付具を実現することができる。
【発明を実施するための最良の形態】
【００３２】
以下に、この発明に係るカメラ等の高所据付具の好適な実施の一形態を添付図面を参照しながら詳細に説明する。
【００３３】
本発明据付具の使用状態を示す説明図が図１に、同据付具の使用状態における要部を拡大して示す説明図が図２に、同据付具の先端近傍を拡大して示す説明図が図３にそれぞれ示されている。それらの図に従って、本発明に係るカメラ等の高所据付具の基本構成要素についてまず説明を行う。
【００３４】
それらの図から明らかなように、本発明のカメラ等の高所据付具は、伸縮ロッド１と、ロッド支持部材として機能するＬ字金具２と、雲台３と、先端部ロープガイドとしての機能を有する先端ガイドリング１５とを具備して構成される。
【００３５】
伸縮ロッド１は、複数本の単位ロッドを振り出し竿構造により多段に収容し、個々の単位ロッドを任意の引き出し状態で固定可能とされている。図示の伸縮ロッド１の場合、図１に示されるように、５本の単位ロッド（図では、１段目部分１−１，２段目部分１−２のみが引き出されている）を振り出し竿構造により多段に基段部分１０へと収容し、個々の単位ロッド（１−１，１−２，・・・１−５）を先端のものから順に任意に引き出し可能とすると共に、任意の引き出し状態にてネジ止め式の締結具１１を介して締め付け固定可能となされている。
【００３６】
それらの単位ロッド（１−１，１−２，・・・１−５）及び基段部分１０の材質としては、軽量化のためにアルミ合金が採用されている。各単位ロッド及び基段部分の径、厚さ、長さはそれぞれ次のように設計されている。
１段目部分  ：  ２２×１．１×１５７０
２段目部分  ：  ２６×１．１×１４４０
３段目部分  ：  ３０×１．１×１４２０
４段目部分  ：  ３４×１．１×１３７０
５段目部分  ：  ３８×１．３×１４３０
基段部分    ：  ４２×１．３×１５６０    各単位：ｍｍ
【００３７】
上記の設計値の場合、材質としてアルミ合金を採用した場合、全長８．７８ｍ、重量２．５ｋｇ（カメラは除く）となり、一人で簡単に持ち運べるサイズ及び重量となることが理解されるであろう。
【００３８】
Ｌ字金具２は、図３及び図４に示されるように、水平板部２１と垂直板部２２とを有し、その材質はアルミ合金が採用されている。図示の設計値としては、水平板部２１及び垂直板部２２の板厚は４ｍｍ、水平板部２２の長さは７５ｍｍ、幅は６０ｍｍとされている。また、垂直板部２２の高さは５０ｍｍ、厚さは同様に４ｍｍとされている。また、垂直板部２２は、図４に示されるように、谷線２２ｃを挟んでその両脇に位置する左側板部２２ａと右側板部２２ｂとから構成されている。
【００３９】
図から明らかなように、垂直板部２２は、左側板部２２ａと右側板部２２ｂとが緩やかに交差する断面Ｖ字形状をなしている。そのため、垂直板部２２の外表面は、左側板部２２ａと右側板部２２ｂとから構成される断面Ｖ字形状の凹面とされている。後述するように、この断面Ｖ字形状の凹面が、照明柱６の外表面と当接する谷状パッド面２２ｄとして機能することとなる。
【００４０】
Ｌ字金具２の水平板部２１には、それぞれ内周にタップが切られた雲台固定用ビス孔２１ａとロッド固定用ビス孔２１ｂが設けられている。一方、図２及び図３に示されるように、単位ロッドの１段目部分１−１の先端部には、単位ロッドの軸方向へ向けて雄ネジ部１６が突設されている。そして、この雄ネジ部１６が、台座ディスク２４の中心孔を貫通して、Ｌ字金具２の水平板部２１のロッド固定用ビス孔２１ｂにねじ込まれることによって、スペーサとしても機能する台座ディスク２４を介して、単位ロッドの１段目部分１−１の上端部にＬ字金具２がしっかりと固定される。なお、図３では、Ｌ字金具２のロッド固定用ビス孔２１ｂにねじ込まれた雄ネジ部１６は、Ｌ字金具２の水平板部２１を突き抜けて、その上面側へ突出されている。
【００４１】
雲台３は、伸縮ロッド１を構成する５本の単位ロッドのうちで最初に引き出されるべき第１段目の単位ロッド１−１の先端部に設けられる。図２に示されるように、雲台３は、Ｌ字金具２の水平板部２１の雲台取付用ビス孔２１ａと雲台３の下面に設けられたビス孔とを整合させた状態において、水平板部２１の下面側よりワッシャ２２を介してビス２３をねじ込むことで、水平板部２１と一体的に結合される。
【００４２】
本発明据付具に使用される雲台の一例を示す斜視図が図８に、同雲台の使用状態における説明図が図９に、図９のＡ−Ａ線断面図が図１０にそれぞれ示されている。図８に示されるように、雲台３は、Ｌ字金具２の水平板部２１に結合される静止ブロック３１と、この静止ブロック３１の垂直軸Ａ１を中心に回転する第１可動ブロック３２と、この第１可動ブロック３２の水平軸Ａ２を中心に回転する第２可動ブロック３３と、この第２可動ブロック３３と一体的に結合されたカメラ載置ブロック３４とを含んで構成される。
【００４３】
静止ブロック３１には、図１０に示されるように、第１の環状目盛板３２１と方位角度基準表示３２２とが設けられている。なお、３２２ａは、第１の環状目盛板３２１を構成する放射状の目盛である。そして、操作摘み３２１を操作して雲台の方位を調整すると、目盛３２２ａは回転する一方、方位角度基準表示３２２は静止することから、両者の関係に基づいて、当該雲台の方位角度を認識可能とされている。
【００４４】
第２可動ブロック３３には、第２の環状目盛板３３２と俯仰角度基準表示３３３とが設けられている。なお、３３２ａは第２の環状目盛板３３２を構成する放射状目盛である。そして、操作用摘み３３１を操作して、俯仰角度を調整すると、目盛３３２ａは回転する一方、俯仰角度基準表示３３３は静止することから、両者の関係に基づいて、当該雲台の俯仰角度を認識可能とされている。
【００４５】
カメラ載置ブロック３４の上面にはカメラ取付用ネジ３４１が突設されており、このカメラ取付用ネジ３４１を介して、カメラ本体４の固定が行われる。
【００４６】
先端部ロープガイドとしての機能を有する先端部ガイドリング１５は、第１段目の単位ロッド１−１の先端部に設けられ、かつロープ通し穴を有するリングとされている。この例にあっては、図２に示されるように、先端ガイドリング１５は、その両端部を回動可能に支持されてＵ字状金属製リングとされている。
【００４７】
操作ロープ５は、伸縮ロッド１の最大伸張時の長さに対応可能な長さを有すると共に、先端部ガイドリング１５のロープ通し穴に挿通され、かつその先端部には、図２に示されるように、第１段目の単位ロッド１−１の先端部適所に対して着脱可能な係止具５３が取り付けられている。図示の係止具５３としては、登山や岩登りなどによく使用されるカラビナが採用されている。そのため、この係止具５３を構成するカラビナを先端ガイドリング１５に係止させることによって、図１、図５、図６に示されるループ部分５１を簡単に作り出すことが可能とされている。
【００４８】
雲台３に取り付けられるカメラとしては、カメラ本体４とフード４１とを有するものが採用されている。当業者にはよく知られているように、カメラ本体４は雲台３に対して、雲台３のカメラ載置ブロック３４に設けられたカメラ取付用ネジ３４１を介してしっかりと固定される。なお、符号４２はカメラのケーブルである。
【００４９】
伸縮ロッド１の全長の適宜箇所には、図２、図３、図５、及び図６に示されるように、途中ガイドリング１２が取り付けられている。この途中ガイドリング１２の取り付けは、締結バンド１２ａと蝶ネジ１２ｂとを使用して行われる。伸縮ロッド５の上端部から垂れ下げられるロープ５は、それらの途中ガイドリング１２に通されることによって、風などによるはためきが規制されることとなる。
【００５０】
伸縮ロッド１を構成する基段部分１０の下端部は、エンドキャップ１７により塞がれる。このエンドキャップ１７からは、リング繋ぎひも１３が抜け止めされて引き出されており、このリング繋ぎひも１３の先端には係留用リング１４が取り付けられている。後述するように、この係留用リング１４は、伸縮ロッド５の先端部から垂れ下げられるロープの固定に利用される。
【００５１】
係留用リング１４をリング繋ぎひも１３を介してエンドキャップ１７に固定するようにしたのは、もしも、基段部分１０の周側面に係留用リング１４を溶接やネジ止めで固定した場合、伸縮ロッド１の回転位置によっては、係留用リング１４と照明柱６とが干渉して、邪魔になる虞があるからである。つまり、係留用リング１４をリング繋ぎひも１３を介してエンドキャップ１７に固定する構成によれば、係留用リング１４はフリーとなり、伸縮ロッド１と照明柱６との位置関係に拘わらず、任意の位置に係留用リング１４を持ってくることができるのである。この例では、リング繋ぎひも１３の長さは、基段部分１０の長さよりも十分に短く設定されている。
【００５２】
次に、以上の構成よりなる高所据付具を使用して照明柱６の高所にカメラを据え付けるための作業について詳細に説明する。
【００５３】
例えば、高速道路の料金所手前の広場において、各車線を走行してきた車両がどのように展開するかを調査するような場合を想定すると、かなり広い領域における多数の車両を視野に収めるために、ビデオカメラやスチールカメラを高所に据え付けることが必要となる。このような場合、従来にあっては、いわゆるリフトカーを借用して、高速道路上の適所に駐車させ、人がリフターで持ち上げられることによって、カメラを適当な高さに据え付けたのであるが、これは事前の道路使用届の必要性やコスト高の問題から好ましくなかった。
【００５４】
これに対して、本発明の据付具によれば、そのような道路使用許可やリフトカーの借用といった費用をかけることなく、現場へ単に伸縮ロッド１を縮めた状態で持ち込むだけで良い。
【００５５】
すなわち、このような料金所前広場の撮影であれば、通常、高速道路の側縁部に適当な間隔で設けられた照明柱６に着目し、その照明柱６の適当な高さにそれらのカメラを取り付ける。この場合、まず、目的とするカメラ（ビデオカメラ、スチールカメラ等）を雲台３に取り付けた後、図２に示されるように、先端ガイドリング１５のロープ通し穴に通されたロープを照明柱６の周りに少なくとも１巻させ、その先端の係止具５３を伸縮ロッド１の上端部適所（この例では先端ガイドリング１５そのもの）に固定する。この例では、係止具５３としてカラビナが使用されているため、公知の着脱機構を介して、係止具５３を先端ガイドリング１５にしっかりと固定することができる。
【００５６】
このとき、伸縮ロッド１の伸縮状態は、完全に縮めた状態でも良いし、目的とする高さまで完全に伸ばした状態でも良いし、それらの途中の状態であっても良い。完全に伸ばした状態であれば、斜めに傾けていなければループ部分５１を形成することはできない一方、完全に縮め又は手の届く程度の高さまで伸ばした状態であれば、そのとき既に伸縮ロッド１を照明柱６に添わせることができる。
【００５７】
次に、伸縮ロッド１を目的とする高さまで振り出し竿機構を利用して伸張させると共に、これを図１に示されるように、照明柱６に添わせるようにして立てかける。このとき、基段部分１０の下端エンドキャップ１２は路面７に接する状態となり、手を離しても下方にズレ落ちることはなくなる。
【００５８】
次に、先端ガイドリング１５を通って垂れ下げられたロープ５を、下向きに強く引っ張る。すると、ロープ５は先端ガイドリング１５を滑らかに滑るようにして引っ張られ、同時に照明柱６及び伸縮ロッド１の上端部に巻き付けられたループ部分５０は締め付けられていき、それにつれて、Ｌ字金具２の垂直板部２２の断面Ｖ字形状の谷状パッド面（図４参照）が照明柱６の円弧状表面に押し当てられる。
【００５９】
すると、断面Ｖ字形状の谷状パッド面の有する誘導機能によって、照明柱６の垂直軸線方向と伸縮ロッド１の軸線方向とが整合するように誘導されると共に、パッド面においてはＶ字状谷面が照明柱６の外表面を受け入れることによって、両者は円弧とＶとで２点接触状態となり、安定的に固定されることとなる。
【００６０】
すると、照明柱６の軸方向と、Ｌ字金具２の方向とが一定の関係に規制される結果、雲台３に対して方位基準が与えられ、その結果カメラ本体４の光軸も所期の方向へと向けられると共に、俯仰角度についても所期の方向へとしっかりと位置決めされる。
【００６１】
しかる後、先端ガイドリング１５から垂れ下げられ、かつ途中ガイドリング１２を通されたロープ５の下端５ａを、係留用リング１４に通し、又は２巻以上巻いた後、ロープ５を上向きに引っ張れば、垂れ下げられたロープ５は緊張状態に仮止めされ、その状態でロープ５の末端部を図７に示されるように、照明柱６及び基段部分１０の周囲に巻き付ければ、周囲に特別な係留箇所などが存在せずとも、ロープ５の端末余剰部分を、しっかりと照明柱６に縛り付け、縛り付け部５２を形成することができる。
【００６２】
このように、ループ部分５１の形成、垂れ下げられたロープを引っ張ることによるこのループ部分５１の締め付け、垂れ下げられた端末余剰部分の係留用リング１４を利用した縛り付け作業といった簡単な作業を経るだけで、適宜に伸張された伸縮ロッド１を照明柱６に添わせてしっかりと固定することができ、これによりカメラ本体４を照明柱６の高所にしっかりと据え付けることができるのである。
【００６３】
なお、以上の説明においては、ループ部分５１を形成するについて、係止具５３を構成するカラビナを先端部ガイドリング１５に係止させたが、もちろん係止具を構成するカラビナはそれ以外であっても伸縮ロッド上端部のいずれかに固定すれば良い。
【００６４】
また、以上の例では、高所に据え付けられる対象物はカメラとしたが、もちろんこの据付具の対象となるのはカメラだけに限られるものではなく、その他必要とする任意の物体を高所に設置できることはもちろんである。
【００６５】
また、以上の例では、伸縮ロッド１を添わせかつ立てかけるための支柱として、照明柱６を挙げたが、例えば事件で混雑する状況下にあって、核心となる撮影対象物を高所から撮影するような場合には、電柱、建築物の支柱、その他さまざまな脚柱などを利用することによって、カメラなどを必要な高所に据え付けることができることはもちろんである。
【産業上の利用可能性】
【００６６】
本発明によれば、カメラ支柱を自立構造とするのではなく、他の支柱（照明柱、電柱、建築物の支柱等々）に添わせると言う斬新な発想を採用することで、カメラ支柱の支持構造を大幅に簡素化し、それにより低コストで可搬性の良好な使い勝手のよいカメラ等の高所据付具を実現することができる。
【図面の簡単な説明】
【００６７】
【図１】本発明据付具の使用状態を示す説明図である。
【図２】本発明据付具の使用状態における要部を拡大して示す説明図である。
【図３】本発明据付具の先端近傍を拡大して示す説明図である。
【図４】Ｌ字金具の拡大斜視図である。
【図５】本発明据付具の使用状態における上端近傍を拡大して示す左側面図である。
【図６】本発明据付具の使用状態における上端近傍を拡大して示す右側面図である。
【図７】本発明据付具の使用状態における下端部近傍を拡大して示す説明図である。
【図８】本発明据付具に使用される雲台の一例を示す斜視図である。
【図９】雲台の使用状態における説明図である。
【図１０】図９のＡ−Ａ線断面図である。
【符号の説明】
【００６８】
１      伸縮ロッド
１−１  １段目部分
１−２  ２段目部分
２      Ｌ字金具
３      雲台
４      カメラ本体
５      ロープ
５ａ    ロープの先端
６      照明柱
７      路面
１０    基段部分
１１    締結具
１２    ガイドリング
１２ａ  締結バンド
１２ｂ  蝶ネジ
１３    リング繋ぎひも
１４    保留用リング
１５    先端ガイドリング
１６    雄ネジ部
１７    エンドキャップ
２１    水平板部
２１ａ  雲台固定用ビス孔
２１ｂ  ロッド固定用ビス孔
２２    垂直板部
２２ａ  左側板部
２２ｂ  右側板部
２２ｃ  谷線
２２ｄ  谷状パッド面
２３    ビス
２４    台座ディスク
３１    静止ブロック
３２    第１可動ブロック
３３    第２可動ブロック
３４    カメラ載置ブロック
４１    フード
４２    ケーブル
５１    ループ
５２    縛り付け部
５３    係止溝
６１    照明器
３２１    第１の環状目盛板
３３１    操作用摘み
３３２    第２の環状目盛板
３３２ａ  目盛
３３３    俯仰角度基準表示
３４１    カメラ取付用ネジ
Ａ１    垂直軸
Ａ２    水平軸
【要約】
【課題】  カメラ支柱を自立構造とするのではなく、他の支柱に添わせると言う斬新な発想を採用することで、カメラ支柱の支持構造を大幅に簡素化し低コストで可搬性の良好な使い勝手のよいカメラ等の高所据付具を提供する。
【解決手段】  操作ロープの先端部を対象となる照明柱等の支柱の周囲に一巻きしたのち、ロープ先端部の係止具を第１段目の単位ロッドの先端部適所に係止させることで、支柱及び当該伸縮ロッドを緩く取り巻くループ部分を形成した状態において、伸縮ロッドを適宜な長さに伸張固定して支柱に沿わせて立て掛け、操作ロープの垂れ下げ部分を強く引っ張って、支柱を取り巻くループ部分を締め付け、その状態にて操作ロープの垂れ下げ部分を適宜に固定することにより、支柱外表面とロッド支持部材のパッド面との当接を介して雲台と支柱とを位置決めしつつ、伸縮ロッドを支柱に添設し得るように構成した。
【選択図】  図１【図１】
0004008021.tif 000002
【図２】
0004008021.tif 000003
【図３】
0004008021.tif 000004
【図４】
0004008021.tif 000005
【図５】
0004008021.tif 000006
【図６】
0004008021.tif 000007
【図７】
0004008021.tif 000008
【図８】
0004008021.tif 000009
【図９】
0004008021.tif 000010
【図１０】
0004008021.tif 000011